(57)【特許請求の範囲】
【請求項１】
胴部の上方に開口が形成され且つ前記開口の周囲から外側へ突出するフランジ部が形成された容体と、前記容体に取り付けられた蓋と、を有する蓋付き容器において、
前記蓋が、前記容体の開口を塞ぐ天板と前記天板の周縁から下方に一体的に延設され且つ容体のフランジ部の外側に位置する周壁とを有する蓋本体と、前記蓋本体の少なくとも周壁の外面に熱収縮装着された熱収縮性筒状フィルムと、を有し、
前記熱収縮性筒状フィルムが前記周壁の下縁から内側へ折れ曲がることにより、前記容体のフランジ部の下面に係止可能な環状の係止部が形成され、
前記熱収縮性筒状フィルムの下方部が前記容体の胴部に沿って熱収縮装着されることにより、前記容体の胴部に密着した環状の固定部が前記係止部の下縁から一体的に延設され、
前記熱収縮性筒状フィルムには、前記係止部の下縁に対応する位置に、切取用周設補助線が周設されていることを特徴とする蓋付き容器。
【請求項２】
前記熱収縮性筒状フィルムには、前記熱収縮性筒状フィルムの下縁から上下方向に延びる第１切取用補助線が形成され、前記第１切取用補助線の上端部が、前記切取用周設補助線に連設されている請求項１に記載の蓋付き容器。
【発明の詳細な説明】
【技術分野】
【０００１】
本発明は、容体に対して蓋を着脱できる蓋付き容器に関する。
【背景技術】
【０００２】
有底筒状に形成された容体と、前記容体の開口を塞ぐ蓋と、を有する蓋付き容器が広く使用されている。
該容体内には、例えば、調味料・食品・医薬品・建築部品・おもちゃ・アクセサリーなどの各種物品が入れられる。
従来、蓋付き容器の中で、容体が紙又は合成樹脂成形品で形成され、且つ、蓋が薄い合成樹脂シートのシート成形品で形成された、比較的簡易な構造の容器が知られている。
かかる簡易構造の容器は、安価であるため広く用いられているが、簡易な構造であるが故に、蓋が容体から外れる場合がある。また、容体から蓋を取り外して開封した後、該蓋を再び容体に取り付けて開口を塞ぐことができない場合がある。
ここで、本明細書において、取り外した蓋を再び容体に取り付けて開口を塞ぐことを「リキャップ」という場合がある。
蓋の脱落防止や蓋のリキャップを行うため、特許文献１には、天付キャップシール（蓋）が装着された容器が開示されている。
【０００３】
具体的には、特許文献１の容器は、容器口部に対面する天部材と、天部材に熱収縮装着された熱収縮性合成樹脂フィルムチューブ（熱収縮性筒状フィルム）とからなり、チューブの半周以上の広域領域と残りの狭域領域の境界に破切線が形成され、チューブの広域領域部分が天部材に接合されている天付キャップシールが容器に装着されている。
この容器は、天付キャップシールを破切線から破切して、チューブの狭域領域を容器から除去することにより、封緘が解かれ、天付キャップシールを容器口部から剥がすことができる。取り外された天付キャップシールには、容器口部の半周以上を包摂可能とする広域領域が天部材に付いているので、反復使用可能な蓋体として利用できる。
【特許文献１】実開平１−９１７５６号公報
【発明の開示】
【発明が解決しようとする課題】
【０００４】
しかしながら、上記特許文献１の容器は、開封時に、チューブの狭域領域が除去されるため、天部材と容器口部の間に隙間ができる。このため、開封後の天付キャップシールを容器口部に再び被せても、天部材と容器口部の隙間から粉塵などが容器内に入り込むという問題点がある。
また、開封後の天付キャップシールを容器口部に再び被せても、該天付キャップシールが容器の口部に係合しないため、意図しない外的要因が加わる（例えば、蓋付き容器が倒れる、蓋に風が作用する、蓋に異物が当たるなど）ことにより、天付キャップシールが容器口部から外れることがある。
なお、意図しない外的要因によって蓋が外れることを、「蓋が不用意に外れる」という。
【０００５】
本発明は、簡易な構造でありながら、リキャップでき、且つ容体から蓋が不用意に外れ難く、さらに、容体内に粉塵などが入り込むことを防止できる蓋付き容器を提供することを課題とする。
【課題を解決するための手段】
【０００６】
本発明の蓋付き容器は、胴部の上方に開口が形成され且つ前記開口の周囲から外側へ突出するフランジ部が形成された容体と、前記容体に取り付けられた蓋と、を有する蓋付き容器において、前記蓋が、前記容体の開口を塞ぐ天板と前記天板の周縁から下方に一体的に延設され且つ容体のフランジ部の外側に位置する周壁とを有する蓋本体と、前記蓋本体の少なくとも周壁の外面に熱収縮装着された熱収縮性筒状フィルムと、を有し、前記熱収縮性筒状フィルムが前記周壁の下縁から内側へ折れ曲がることにより、前記容体のフランジ部の下面に係止可能な環状の係止部が形成され、前記熱収縮性筒状フィルムの下方部が前記容体の胴部に沿って熱収縮装着されることにより、前記容体の胴部に密着した環状の固定部が前記係止部の下縁から一体的に延設され、前記熱収縮性筒状フィルムには、前記係止部の下縁に対応する位置に、切取用周設補助線が周設されていることを特徴とする。
【０００７】
上記本発明の蓋付き容器の蓋は、蓋本体と、該蓋本体に熱収縮装着された熱収縮性筒状フィルムと、を有し、熱収縮性筒状フィルムが周壁の下縁から内側へ折れ曲がることにより、容体のフランジ部の下面に係止可能な環状の係止部が形成されている。
この蓋は、環状の係止部が容体のフランジ部の下面に係止されるので、容体から蓋が不用意に外れ難い。さらに、環状の係止部が、蓋本体と容体のフランジ部の間の隙間全体を塞ぐため、前記隙間から容体内に粉塵などが入り込むことを防止できる。
また、上記係止部は、熱収縮性筒状フィルムの折れ曲がり部分で構成されているので、開封時に蓋を上方に引き上げると、係止部が適宜変形し、フランジ部に対する係止を解除できる。従って、蓋を引き上げれば、蓋を容体から容易に取り外すことができる。
さらに、リキャップの際には、取り外した蓋を容体の上方から被せることにより、係止部が適宜変形してフランジ部を乗り越え、フランジ部の下面に係止される。従って、リキャップ後においても、容体から蓋が不用意に外れ難い。
なお、本発明の蓋付き容器は、容体、蓋本体及び熱収縮性筒状フィルムを主たる構成要素としている。容体や蓋本体は、例えば、簡易な構造の樹脂成形品で形成できるので、本発明の蓋付き容器は、比較的安価に提供できる。
【０００８】
さらに、本発明の蓋付き容器は、熱収縮性筒状フィルムの下方部で構成された環状の固定部が、容体の胴部に密着しているので、開封前の蓋が、容体から外れることはない。
一方、開封時には、切取用周設補助線に沿って熱収縮性筒状フィルムを切り取ることにより、係止部と固定部が分離される。固定部が分離された蓋を上方に引き上げることにより、係止部が適宜変形してフランジ部に対する係止を解除でき、蓋を容体から容易に取り外すことができる。
また、リキャップの際、上記固定部が分離され且つ取り外した蓋を、容体の上方から被せることにより、係止部がフランジ部の下面に係止されるので、容体から蓋が不用意に外れ難い。
【０００９】
本発明の好ましい蓋付き容器は、前記熱収縮性筒状フィルムに、前記熱収縮性筒状フィルムの下縁から上下方向に延びる第１切取用補助線が形成され、前記第１切取用補助線の上端部が、前記切取用周設補助線に連設されている。
【発明の効果】
【００１０】
本発明に係る蓋付き容器は、簡易な構造でありながら、蓋を容体に取り付けたり、取り外したりできる。本発明の蓋付き容器は、リキャップ後、係止部が容体のフランジ部に係止されるので、蓋が不用意に外れ難い。さらに、環状の係止部が、蓋本体と容体のフランジ部の間の隙間を塞ぐため、前記隙間から容体内に粉塵などが入り込むことを防止できる。
【発明を実施するための最良の形態】
【００１１】
以下、本発明について、図面を参照しつつ具体的に説明する。
図１〜図３に於いて、１は、フランジ部を有する容体２と、前記容体２に取り付けられた蓋３と、を有する蓋付き容器を示す。
【００１２】
容体２は、胴部２１の上方に開口２２が形成され且つ前記開口２２の周囲から外側へ突出するフランジ部２３が形成されている。
蓋３は、蓋本体４と、前記蓋本体４に熱収縮装着された熱収縮性筒状フィルム５と、を有する。
前記蓋本体４は、容体２の開口２２を塞ぐ天板４１と、前記天板４１の周縁から下方に一体的に延設され且つ容体２のフランジ部２３の外側に位置する周壁４２と、を有する。
前記熱収縮性筒状フィルム５は、前記蓋本体４の少なくとも周壁４２の外面に熱収縮装着され、且つ前記周壁４２の下縁から内側へ折れ曲がっていると共に、熱収縮性筒状フィルム５の下方部が容体２の胴部２１に熱収縮装着されている。
熱収縮性筒状フィルム５の折れ曲がった部分は、容体２のフランジ部２３の下面に係止可能な環状の係止部６であり、熱収縮性筒状フィルム５の、容体２の胴部２１に装着された部分は、容体２の胴部２１に密着した固定部７である。
熱収縮性筒状フィルム５には、係止部６の下縁に対応する位置に、係止部６と固定部７を分離するための切取用補助線８２（切取用周設補助線）が周設されている。
以下、各構成要素ごとに分説しつつ、本発明の蓋付き容器１の具体的構成を明らかにする。
【００１３】
容体２は、所定形状（例えば、平面視略円状で且つ正面視略逆台形状など）の有底の胴部２１を有し、該胴部２１の上方に開口２２が形成されている。胴部２１の上端周縁（開口２２の周囲）には、外側へ突出するフランジ部２３が形成されている。
具体的には、容体２は、上面が開口され且つ下方に向かうに従って縮径する有底逆円錐台状の胴部２１と、該胴部２１の上端周縁に、胴部２１の径外方向に突出して周設されたフランジ部２３と、を有する。なお、胴部２１の内部には、収納部が形成されている。
フランジ部２３は、胴部２１の上端周縁から胴部２１の径外方向へ突出した平面視リング状の部分である。フランジ部２３は、胴部２１と一体的に形成されている。フランジ部２３は、胴部２１の上端周縁において、胴部２１の周囲全体に形成されている。もっとも、胴部２１の周囲の一部分に、フランジ部２３が形成されていない部分があってもよい。
フランジ部２３の突出長さは、特に限定されず、通常、１ｍｍ〜１０ｍｍ程度である。また、フランジ部２３の厚み（上下方向長さ）も特に限定されず、通常、１ｍｍ〜３ｍｍ程度である。
【００１４】
容体２の平面視形状は、図示したような略円状のほか、略矩形状などでもよい。
容体２の材質は、特に限定されず、例えば、合成樹脂、紙、金属、ガラス、陶器などが挙げられる。安価に製造できることから、容体２の材質は、合成樹脂又は紙が好ましい。合成樹脂としては、例えば、ポリエチレン、ポリプロピレンなどのポリオレフィン系、ポリスチレン系、ポリエステル系、ポリ塩化ビニル系などが挙げられる。
容体２が、合成樹脂で形成される場合、収納部の深さが比較的浅い容体２は、合成樹脂シート（合成樹脂シートと紙などとの積層シートを含む）のシート成形によって形成でき、収納部の深さが比較的深い容体２は、合成樹脂の射出成形などによって形成できる。
【００１５】
なお、図中、３１は、フランジ部２３の上面に接着された密封シールを示す。該密封シール３１は、例えば、フランジ部２３の上面に対して熱融着可能なシーラント層が積層された気密性のあるシートを用いることができる。もっとも、本発明の蓋付き容器１は、密封シール３１を具備していなくてもよい。
【００１６】
上記容体２の開口２２を封緘するための蓋３は、容体２の上方に被せられた蓋本体４と、前記蓋本体４に熱収縮装着された熱収縮性筒状フィルム５と、を有する。
蓋本体４は、容体２の開口２２を塞ぐ天板４１と、前記天板４１の周縁から下方に一体的に延設され、且つ容体２のフランジ部２３の外周縁２３ａ接し又は該外周縁２３ａの近傍に位置する周壁４２と、を有する。なお、天板４１と周壁４２は、一体的に形成されている。例えば、シート成形により、天板４１と周壁４２が形成されている。
天板４１は、容体２の開口２２に適合する所定形状（例えば平面視略円状など）に形成されている。
周壁４２は、天板４１の周囲を下方側（天板に対して略垂直となるように）に折り曲げることによって筒状に形成されている。
蓋本体４は、その天板４１を容体２の開口２２に対面させ且つ周壁４２をフランジ部２３の外周縁２３ａの近傍に位置させて、容体２の上方に被せられている。
周壁４２の上下方向長さは、特に限定されないが、好ましくは、蓋本体４を容体２に被したときに、フランジ部２３の下面から周壁４２の下縁が下方に突出する長さに形成されている。具体的寸法では、周壁４２の上下方向長さは、蓋本体４を容体２に被したときに、フランジ部２３の下面から周壁４２の下縁が１ｍｍ〜３ｍｍくらい下方に突出するように形成されている。このように周壁４２の下縁がフランジ部２３の下面から下方に突出していると、蓋３をリキャップする際に、熱収縮性筒状フィルム５で構成された係止部６が潰れ難く、該係止部６がフランジ部２３を乗り越え易くなるので好ましい。
【００１７】
また、周壁４２は、フランジ部２３に対して非係合とされている。すなわち、周壁４２の内周面などには、フランジ部２３に係合する凸部や、フランジ部２３に螺合するネジ部などが形成されていない。
一般に、蓋が、フランジ部に係合する場合には、不用意に蓋が外れ難いが、周壁を含めて蓋が、フランジ部に非係合であると、容体から蓋が不用意に外れる。
本発明の蓋付き容器１は、蓋本体４の周壁４２が容体２のフランジ部２３に非係合であるが、蓋３には係止部６が設けられているので、容体２から蓋３が不用意に外れることを防止できる。
【００１８】
上記蓋本体４（天板４１及び周壁４２）の材質は、特に限定されず、合成樹脂、紙、金属、ガラス、陶器などが挙げられる。安価に製造できることから、蓋本体４の材質は、合成樹脂又は紙が好ましい。合成樹脂又は紙からなる蓋本体４は、例えば、合成樹脂シート（合成樹脂シートと紙などとの積層シートを含む）又は紙をシート成形することによって形成できる。該シートからなる蓋本体４の厚みは、例えば５０〜５００μｍであり、好ましくは１００〜２００μｍである。
蓋本体４を形成する合成樹脂は、特に限定されず、例えば、上記容体２で例示の合成樹脂などが挙げられる。
また、蓋本体４は、熱収縮性筒状フィルム５の熱収縮温度（熱収縮温度とは、熱収縮性筒状フィルム５が十分に縮径し得る温度をいい、通常、約６０〜１００℃である）で変形しない材質が用いられる。
【００１９】
熱収縮性筒状フィルム５は、熱収縮温度で、少なくとも周方向に熱収縮しうる筒状のフィルムからなる。該熱収縮性筒状フィルム５は、例えば、熱収縮性のフィルムの両側端部を重ね合わせて筒状にし、該重ね合わせ部分を接着することによって形成されている。
熱収縮性筒状フィルム５の材質は特に限定されず、例えば、ポリエチレンテレフタレート、ポリ乳酸などのポリエステル系、ポリプロピレンなどのオレフィン系、スチレン−ブタジエン共重合体などのスチレン系、環状オレフィン系、塩化ビニル系などの熱可塑性樹脂から選ばれる１種、若しくは２種以上の混合物などからなるフィルム、又は異なる２種以上のフィルムを積層した積層フィルムなどが例示される。中でも、剛性に優れていることから、ポリエチレンテレフタレートなどの芳香族ポリエステル系フィルム又は該フィルムを有する積層フィルムが好ましい。本発明においては、係止部６が熱収縮性筒状フィルム５で構成されているので、該熱収縮性筒状フィルム５として剛性に優れたフィルムを用いることにより、係合部６の耐久性が向上し、複数回リキャップしても係合部６が潰れ難く、リキャップの繰り返しによる係止部６のフランジ部２３に対する係止効果の低下を防止できる。
【００２０】
熱収縮性筒状フィルム５の厚みは、特に限定されないが、係止部６が熱収縮性筒状フィルム５で構成されることから、その厚みは、比較的厚いことが好ましい。例えば、熱収縮性筒状フィルム５の厚みは、５０μｍ以上が好ましく、更に、６０μｍ以上が好ましい。一方、熱収縮性筒状フィルム５の厚みの上限は、コストなどの観点から、例えば、１４０μｍ以下が好ましく、１００μｍ以下がより好ましい。
【００２１】
図４は、蓋本体４に装着前の熱収縮性筒状フィルム５の正面図及び左側面図を示す。
熱収縮性筒状フィルム５の下縁には、摘み部５１が延設されている。この摘み部５１の両基部を始点として、上下方向に平行に延びる２条の第１切取用補助線８１，８１が熱収縮性筒状フィルム５の下縁から中途にまで形成されている。２条の第１切取用補助線８１，８１の形成間隔は特に限定されず、通常、５ｍｍ〜３０ｍｍ程度の範囲に形成される。なお、上下方向に延びる第１切取用補助線８１は、１条であってもよく、或いは、３条以上形成してもよい。
この第１切取用補助線８１，８１の上端部には、熱収縮性筒状フィルム５の周方向に形成された第２切取用補助線８２が連設されている。該第２切取用補助線８２は、熱収縮性筒状フィルム５の周方向全体に周設されている。第２切取用補助線８２の形成位置（上下方向位置）は、熱収縮性筒状フィルム５を熱収縮により装着した際に、第２切取用補助線８２が、フランジ部２３の外周縁２３ａよりも下方且つ内側に位置するように形成されている。従って、第２切取用補助線８２の形成位置は、容体２及びフランジ部２３の大きさや形状などに応じて適宜設定される。前記第２切取用補助線８２が、請求項の切取用周設補助線に相当する。
【００２２】
上記第１切取用補助線８１及び第２切取用補助線８２は、その線に沿って熱収縮性筒状フィルム５を容易に分断できるものであれば特に限定されず、例えば、ミシン目線、ハーフカット線などを用いることができる。これらは単独でまたは適宜組み合わせて用いることができる。
ミシン目線とは、ミシン針の縫い目跡の如く、熱収縮性筒状フィルム５の厚み方向に貫通する貫通孔（円形状の貫通孔または線状の貫通孔）が断続的に刻設された線である。つまり、ミシン目線は、貫通孔と非貫通部が交互に連なって形成された線である。ハーフカット線とは、（熱収縮性筒状フィルム５を貫通せず）熱収縮性筒状フィルム５の厚み方向に略Ｖ字状に切り込んだ刻み部が連続する線である。好ましくは、第１及び第２切取用補助線８１，８２は、ミシン目線が用いられる。
切取用補助線８１，８２としてミシン目線を用いる場合には、その形成部分を極めて容易に分断できることから、その貫通孔の長さ（貫通孔が円形状の場合には直径）が、例えば、０．５ｍｍ〜２ｍｍ程度に形成され、且つその非貫通部の長さが、例えば、０．５ｍｍ〜２．５ｍｍ程度に形成されていることが好ましい。
また、切取用補助線８１，８２としてミシン目線を用いる場合には、第１切取用補助線８１の線状の貫通孔の上端部が、第２切取用補助線８２の線状の貫通孔に略Ｔ字状に交わって形成されていることが好ましい。
特に、第１切取用補助線８１が２条以上形成されている場合には、図１及び図４に示すように、各第１切取用補助線８１，８１の上端部に交わり、且つ、各第１切取用補助線８１，８１の上端部間に延びる切込み線８２ａ（細長い貫通孔）を、第２切取用補助線８２上に形成することがより好ましい。
かかる切込み線８２ａを形成することにより、第１切取用補助線８１，８１に沿って熱収縮性筒状フィルム５を切り取った際に、その切り目が第２切取用補助線８２の上方にまで至らず、係止部６の下縁が裂けることを確実に防止できる。
【００２３】
熱収縮性筒状フィルム５は、容体２の上方に被せられた蓋本体４に外嵌し、熱収縮温度に加熱することによって、その上方部が蓋本体４に熱収縮装着され、且つその下方部が容体２に熱収縮装着されている。
具体的には、熱収縮性筒状フィルム５の上方部は、蓋本体４の天板４１の上面周囲に折れ曲がって密着していると共に蓋本体４の周壁４２の外面に密着している。熱収縮性筒状フィルム５の中途部は、蓋本体４の周壁４２の下縁から内側に折れ曲がって容体２のフランジ部２３の下面側に回り込み、環状の係止部６を構成している。熱収縮性筒状フィルム５の下方部は、容体２の胴部２１に密着し、環状の固定部７を構成している。
なお、熱収縮性筒状フィルム５の中途部は、フランジ部２３の下面に密着しておらず、熱収縮性筒状フィルム５とフランジ部２３の下面との間には、間隙を有する。
また、熱収縮性筒状フィルム５の中途部及び下方部は、下方に向かうに従って徐々に縮径した環状となっている。
【００２４】
熱収縮性筒状フィルム５は、第２切取用補助線８２が容体２のフランジ部２３の外周縁２３ａよりも下方且つ内側となるように、位置合わせして装着されている。
好ましくは、第２切取用補助線８２が、容体２のフランジ部２３の外周縁２３ａよりも内側で且つ容体２の胴部２１に密着しない位置に、熱収縮性筒状フィルム５は位置合わせして装着されている。
このように第２切取用補助線８２が容体２のフランジ部２３の外周縁２３ａよりも内側に位置して装着された熱収縮性筒状フィルム５は、その第２切取用補助線８２の周長（周方向の長さ）がフランジ部２３の外周縁２３ａの周長よりも小さくなっている。好ましくは、前記装着後の熱収縮性筒状フィルム５の第２切取用補助線８２の周長は、フランジ部２３の外周縁２３ａの周長に対して０．９０倍〜０．９７倍が好ましく、特に、同０．９２倍〜０．９６倍がより好ましい。
【００２５】
上記蓋付き容器１は、環状の固定部７が容体２の胴部２１に密着しているので、開封前に蓋３が容体２から外れることがなく、容体２が確実に封緘されている。特に、容体２の胴部２１が下方に向かうに従って縮径している場合には、その形状に従って、固定部７も下方に向かうに従って縮径しているので、熱収縮性筒状フィルム５を介して蓋３がより確実に封緘される。
一方、上記蓋付き容器１を開封する際には、摘み部５１を摘んで、これを上前方に引き出すことにより、第１切取用補助線８１，８１に沿って熱収縮性筒状フィルム５が上下方向に切り取られ、さらに、周方向に捻ることにより、第２切取用補助線８２に沿って熱収縮性筒状フィルム５が周方向に切り取られる。このように切り取ることにより、蓋３の固定部７が容器１から除去される。
なお、熱収縮性筒状フィルム５が、ポリエチレンテレフタレートなどの芳香族ポリエステル系フィルム又は該フィルムを有する積層フィルムからなる場合、フィルム切れに優れているので、上記第２切取用補助線８２に確実に沿って熱収縮性筒状フィルム５を周方向に切り取ることができる。
【００２６】
固定部７が除去された蓋３は、図５に示すように、周壁４２の下縁から内側へ折れ曲がった環状の係止部６が、フランジ部２３の下面側に残っている。
なお、図５において、６ａは、環状の係止部６の下縁を示し、該係止部６の下縁６ａは、第２切取用補助線８２の形成位置に対応している。従って、係止部６の下縁６ａの周長は、フランジ部２３の外周縁２３ａの周長よりも小さくなっている。このため、係止部６は、フランジ部２３の下面に係止可能である。
【００２７】
固定部７が除去された上記蓋３は、係止部６がフランジ部２３に係止されるので、容体２から蓋３が不用意に外れ難い。
さらに、係止部６は、蓋本体４の周壁４２の下縁から内側へ折れ曲がった環状に形成されているので、該係止部６によって、蓋本体４と容体２のフランジ部２３の間の隙間全体を塞ぐことができる。このため、前記隙間から容体内に粉塵などが入り込むことを防止できる。
【００２８】
上記係止部６は、熱収縮性筒状フィルム５で構成されているので、柔軟であり、比較的変形し易い。従って、固定部７が除去された上記蓋３を上方に引き上げると、係止部６が適宜変形してフランジ部２３の外周縁２３ａを乗り越える。よって、蓋３を引き上げれば、蓋３を容体２から容易に取り外すことができる。
取り外した上記蓋３を、リキャップする際には、蓋５を容体２の上方から被せることにより、熱収縮性筒状フィルム５で構成された係止部６が適宜変形してフランジ部２３の外周縁２３ａを乗り越え、係止部６がフランジ部２３の下面側に位置することとなる。よって、リキャップ後も、容体２から蓋３が不用意に外れ難い。
上記のように、本発明の蓋付き容器１は、取り外した蓋３をリキャップでき、更に、容体２に対する封緘性にも優れている。
【００２９】
なお、本発明は、上記実施形態に限定されるものではなく、本発明の意図する範囲で様々な態様に変更できる。
例えば、上記実施形態の蓋付き容器１は、蓋３に固定部７が設けられているが、例えば、固定部７を有しない蓋３が容体２に取り付けられていてもよい。
固定部７を有しない蓋３が容体２に取り付けられた蓋付き容器１は、例えば、図５に示すような蓋付き容器１（上記実施形態の蓋付き容器１から固定部７を除去した蓋付き容器１）が例示される。
【００３０】
さらに、上記実施形態の蓋付き容器１は、熱収縮性筒状フィルム５に上下方向に延びる第１切取用補助線８１が形成されているが、該補助線８１を有しないものでもよい。
この他の実施形態に係る蓋付き容器１は、例えば、図６に示すように、切取用補助線８３が周方向に周設された熱収縮性筒状フィルム５が、該切取用補助線８３が容体２のフランジ部２３の外周縁よりも内側で且つ容体２の胴部２１に密着しない位置となるように熱収縮装着されていると共に、該熱収縮性筒状フィルム５の下方部（固定部７）の内面が、容体２の胴部２１に接着されている。なお、図６において、熱収縮性筒状フィルム５の下方部の内面と容体２の胴部２１の接着部分７１を、薄墨塗りで表している。熱収縮性筒状フィルム５の下方部の内面と容体２の胴部２１との接着は、例えば、接着剤又は粘着剤を介して実施できる。
上記他の実施形態の蓋付き容器１は、熱収縮性筒状フィルム５の上から蓋本体４を握り、これを周方向に回すことにより、切取用補助線８３に沿って熱収縮性筒状フィルム５が切り取られ、蓋３を開封することができる。開封後の蓋３は、蓋本体４に係止部６を有するので、上記実施形態と同様に、リキャップすることができる。
【００３１】
また、上記実施形態の蓋付き容器１は、蓋本体４を容体２に被したときに、周壁４２の下縁がフランジ部２３の下面から下方に突出しているが、これに限定されず、例えば、蓋本体４を容体２に被したときに、周壁４２の下縁がフランジ部２３の下面よりも上方に位置していてもよい。
【図面の簡単な説明】
【００３２】
【図１】蓋付き容器の一実施形態を示す正面図。
【図２】同平面図。
【図３】図２のＩ−Ｉ線で切断した縦断面図。
【図４】（ａ）は、装着前の熱収縮性筒状フィルムを示す正面図、（ｂ）は、同左側面図。
【図５】固定部を除去した状態の蓋付き容器（固定部を有しない蓋付き容器）を示す縦断面図。
【図６】蓋付き容器の他の実施形態を示す正面図。ただし、便宜上、接着部分を薄墨塗りで表している。
【符号の説明】
【００３３】
１…蓋付き容器、２…容体、２１…容体の胴部、２２…容体の開口、２３…容体のフランジ部、２３ａ…フランジ部の外周縁、３…蓋、４…蓋本体、４１…天板、４２…周壁、５…熱収縮性筒状フィルム、６…係止部、７…固定部、８１，８２，８３…切取用補助線
【図１】
0005138348.tif 000002
【図２】
0005138348.tif 000003
【図３】
0005138348.tif 000004
【図４】
0005138348.tif 000005
【図５】
0005138348.tif 000006
【図６】
0005138348.tif 000007